(57)【要約】      （修正有）【課題】堅固性の効果が極めて良好であり、かつ脱落し難い効果が有る嵌合式梱包材構造を提供する。【解決手段】嵌合式梱包材構造は、２対の対角を有する物体を嵌合固定することに用い、梱包材構造は、２つの嵌合部材１，２を含み、各嵌合部材は、アーム体１１，２１及びアーム体両端にそれぞれ形成される２つの逆嵌合部１２，２２を含み、２つの逆嵌合部がそれぞれ凹溝１２１，２２１を有し、各嵌合部材の対凹溝は、物体の各対角をそれぞれ収容し、各嵌合部材は、その２つの逆嵌合部により物体の各対対角の間に弾性的に嵌合する。【選択図】図１
0003183932.tif 000002
【実用新案登録請求の範囲】
【請求項１】
物体を嵌合固定することに用いる嵌合式梱包構造であって、前記物体は、複数対の対角を有し、該梱包材構造は、第１アーム体及び該第１アーム体両端にそれぞれ形成される２つの逆嵌合部を含み、且つ該２つの逆嵌合部がそれぞれ凹溝を有する第１嵌合部材と、第２アーム体及び該第２アーム体両端にそれぞれ形成される２つの逆嵌合部と、を含み、且つ該２つの逆嵌合部がそれぞれ凹溝を有する第２嵌合部材と、を含み、そのうち、該第１嵌合部材の該対凹溝及び該第２嵌合部材の該対凹溝が前記物体の多数対の対角のうち任意の２対の対角それぞれ収容することに用い、該第１嵌合部材は、その２つの逆嵌合部により前記物体の該２対の対角のうち１対の対角の間に嵌合され、該第２嵌合部材は、その２つの逆嵌合部により前記物体の該２対の対角のうちのもう１対の対角の間に嵌合される嵌合式梱包構造。
【請求項２】
前記第１嵌合部材の該対凹溝の形状及び該第２嵌合部材の該対凹溝の形状は、何れも前記物体の各該対の対角の形状に対応する請求項１に記載の嵌合式梱包構造。
【請求項３】
前記第１嵌合部材は、前記物体の一面を嵌合させ、該第２嵌合部材は、前記物体の他の面を嵌合させる請求項１に記載の嵌合式梱包材構造。
【請求項４】
前記第１嵌合部材及び該第２嵌合部材は、何れも発泡ポリエチレン部材である請求項１に記載の嵌合式梱包材構造。
【請求項５】
物体を嵌合固定することに用いる嵌合式梱包材構造であって、前記物体に少なくとも１対の対角を有し、該梱包材構造は、第１アーム体及び該第１アーム体両端にそれぞれ形成される逆嵌合部を含み、該２つの逆嵌合部がそれぞれ凹溝を有する嵌合部材を含み、該嵌合部材は、該２つの逆嵌合部により前記物体の該対の対角の間に嵌合され、該対の対角を該対の凹溝内に収容させる嵌合式梱包材構造。
【請求項６】
前記嵌合部材は、該第１アーム体と相互に接続する第２アーム体及び該第２アーム体両端にそれぞれ形成される２つの逆嵌合部を更に含み、且つ該２つの逆嵌合部がそれぞれ凹溝を有し、前記物体が２対の対角を有し、該嵌合部材の該第１アーム体は、その２つの逆嵌合部により前記物体の２対の対角のうちの１対の対角の間に嵌合し、前記物体の該そのうち１対の対角を該第１アーム体の該対凹溝内に収容させ、該嵌合部材の該第２アーム体は、その２つの逆嵌合部が前記物体の２対の対角のうちのもう１対の対角の間に嵌合し、前記物体の該そのうちもう１対の対角を該第２アーム体の該対凹溝内に収容させる請求項５に記載の嵌合式梱包材構造。
【請求項７】
前記第１アーム体の該対凹溝の形状及び該第２アーム体の該対凹溝の形状は、何れも前記物体の各該対の対角の形状に対応する請求項６に記載の嵌合式梱包材構造。
【請求項８】
前記嵌合部材は、前記物体の一面を嵌合させる請求項５に記載の嵌合式梱包材構造。
【請求項９】
前記嵌合部材は、発泡ポリエチレンである請求項５に記載の嵌合式梱包材構造。
【請求項１０】
前記第１アーム体及び該第２アーム体は、相互に交差して接続される請求項６に記載の嵌合式梱包材構造。
【請求項１１】
前記第２アーム体は、第１支持アーム及び第２支持アームから構成され、該第１、第２アームの一端は、相互に位置錯綜して該第１アーム体の２つの対応側に一体に接続され、該第１、第２支持アームのもう１端は、それぞれ該逆嵌合部を形成し、該第２アーム体は、その第１、第２支持アームの該２つの逆嵌合部により前記物体の該そのうち１対の対角の間を嵌合する請求項６に記載の嵌合式梱包材構造。
【考案の詳細な説明】
【技術分野】
【０００１】
本考案は、梱包材構造に関し、特に、物体の少なくとも１つの対角の間に用いる嵌合式梱包材に関する。
【背景技術】
【０００２】
工業の急速な発展に伴い、様々な製品が益々多くなり、例えば、書籍、液晶テレビ、タブレットＰＣ、ノート型パソコン又はブックリーダ等は、何れも積載又は搬送の過程において、衝突等問題を防止するために解決の道を苦慮している。
【０００３】
そのうち、１種の方法は、製品の外に直接緩衝材を被せ設けるものであり、もう１種の方法は、先ず製品を包装箱内に収容し、続いて包装箱外に緩衝材を被せ設けるものである。言いかえれば、物体（書籍、液晶テレビ、タブレットＰＣ、ノート型パソコン又はブックリーダ等の製品、又は該製品を包装する包装箱等を含む）の外に緩衝材を被せ設け、衝突時に緩衝の効果を発生している。
【０００４】
現在のよく見られる緩衝材は、４件式の物体の４隅に被せ設けるものでなければ、Ｕ型設計の２件式の緩衝材を物体の２つの対応側に被せ設けるものであり、このように、積載又は搬送の過程中の緩衝効果を有しているが、４件式緩衝材の間又は２件式の緩衝材の間に何れも如何なる接続も有しておらず、堅固性の効果が良好でなく、脱落し易いという難点を有する。
【０００５】
また、前記緩衝材は、ポリスチレン及びポリエチレン等の化工材料を採用して形成され、製造過程において、大量な人体に不利な有害ガスを発生し、緩衝材を長期的に残留し得るので、この緩衝材を使用することは、使用者の健康に対し、悪影響を及ぼす可能性があり、同時に、該材料は、廃棄後に環境に対し、汚染を招く。
【０００６】
従って、上記従来の欠陥を改善可能な本考案を如何に設計するかは、本考案者が極めて解決を欲する大きな課題である。
【先行技術文献】
【特許文献】
【０００７】
【特許文献１】特開２０１１−１５７０８８号公報
【特許文献２】特開２０１１−２０６３６９号公報
【考案の概要】
【考案が解決しようとする課題】
【０００８】
本考案の目的は、対角嵌合又は対角交差嵌合方式で物体の単一対の対角の間又は複数  対の対角の間に嵌合することができる嵌合部材により、単一対の対角の間又は各該対の対角の間に何れも嵌合部材を弾性的に接続し、従って、堅固性の効果が極めて良好であり、且つ脱落し難いという効果を有する嵌合式梱包材構造を提供することにある。
【課題を解決するための手段】
【０００９】
上記目的を達成する為、本考案が提供する嵌合式梱包構造は、物体を嵌合固定することに用い、前記物体は、複数対の対角を有し、該梱包材構造は、第１アーム体及び該第１アーム体両端にそれぞれ形成される２つの逆嵌合部を含み、且つ該２つの逆嵌合部がそれぞれ凹溝を有する第１嵌合部材と、第２アーム体及び該第２アーム体両端にそれぞれ形成される２つの逆嵌合部と、を含み、且つ該２つの逆嵌合部がそれぞれ凹溝を有する第２嵌合部材と、を含み、そのうち、該第１嵌合部材の該対凹溝及び該第２嵌合部材の該対凹溝が前記物体の多数対の対角のうち任意の２対の対角それぞれ収容することに用い、該第１嵌合部材は、その２つの逆嵌合部により前記物体の該２対の対角のうち１対の対角の間に嵌合され、該第２嵌合部材は、その２つの逆嵌合部により前記物体の該２対の対角のうちのもう１対の対角の間に嵌合される。
【００１０】
本考案がまた提供する嵌合式梱包材構造は、物体を嵌合固定することに用い、前記物体に少なくとも１対の対角を有し、該梱包材構造は、第１アーム体及び該第１アーム体両端にそれぞれ形成される逆嵌合部を含み、該２つの逆嵌合部がそれぞれ凹溝を有する嵌合部材を含み、該嵌合部材は、該２つの逆嵌合部により前記物体の該対の対角の間に嵌合され、該対の対角を該対の凹溝内に収容させる。
【考案の効果】
【００１１】
従来技術に比較し、本考案は、以下の効果を有する：対角嵌合又は対角交差嵌合伏木で物体の単一対の対角の間又は複数対の対角の間を嵌合可能な感光部材により、単一対の対角の間又は各該対の対角の間を何れも嵌合部材を弾性的に接続し、堅固性の効果が極めて良好であり、且つ脱落し難い効果を有する。
【図面の簡単な説明】
【００１２】
【図１】本考案の梱包材構造の第１実施例であり、物体を嵌合する前の立体分解  図である。
【図２】本考案の図１に基づく嵌合後の立体図である。
【図３】本考案の図２に基づく俯瞰図である。
【図４】本考案の図３に基づく４−４断面図である。
【図５】本考案の梱包材構造の第２実施例であり、物体を嵌合した後の立体図である。
【図６】本考案の梱包材構造の第３実施例であり、物体を嵌合した後の立体図である。
【考案を実施するための形態】
【００１３】
本考案の特徴、利点及び技術内容を分かり易くする為、本考案に関する詳細な説明及び図面を参照するが、添付図面は、ただ参考及び説明用に提供するだけであり、本考案を制限することに用いるものではない。
【００１４】
本考案の嵌合式梱包材構造は、物体を嵌合固定することに用い、物体を積載又は搬送させる時、緩むことがなく、好ましくは、更に、衝突発生時に緩衝効果を発生することができるので、物体は、例えば、書籍、液晶テレビ、タブレットＰＣ、ノート型パソコン又は電子書籍リーダ等の製品、又は該製品を包装することに用いる包装箱等であることができる。図１〜図４に示すのは、本考案の第１実施例を開示するものであり、図５、図６に示すのは、それぞれ本考案の第２、第３実施例を開示するものである。
【００１５】
図１〜図４に示すのは、本考案の梱包材構造の第１実施例であり、前記複数対の対角を有する物体９００を嵌合固定することに用い、本考案の梱包材構造は、複数の嵌合部材を含み、図に示すように、物体９００の対角がただ２対：第１対の２つの対角９１及び第２対の２つの対角９２のみを有するので、本考案の梱包材構造は、２つの嵌合部材：第１嵌合部材１及び第２嵌合部材２のみを必要とする。
【００１６】
第１嵌合部材１は、第１アーム体１１及び第１アーム体１１両端にそれぞれ形成される２つの逆嵌合部１２を含み、２つの逆嵌合部１２は、それぞれ凹溝１２１を有する。第２嵌合部材２は、第２アーム体２１及び第２アーム体２１両端にそれぞれ形成される２つの逆嵌合部２２を含み、２つの逆嵌合部２２は、それぞれ凹溝２２１を有する。第１嵌合部材１の該対凹溝１２１は、それぞれ物体９００の第１対の２つの対角９１又は第２対の両対角９２をそれぞれ収容することに用い、第２嵌合部材２の該対凹溝２２１は、物体９００の第１対の２つの対角９１又は第２対の２つの対角９２をそれぞれ収容することに用いる。これにより、第１嵌合部材１は、その２つの逆嵌合部１２により物体９００の第１対の対角９１の間又は第２対の対角９２の間を嵌合することができ、第１対の対角９１又は第２対の対角９２を第１嵌合部材１の該対の凹溝１２１内に収容させる。第２嵌合部材２は、その２つの逆嵌合部２２によって物体９００の第２対の対角９２の間又は第１対の対角９１の間を嵌合し、第２対の対角９２又は第１対の対角９１を第２嵌合部材２の該対凹溝２２１内に収容させる。そのうち、第１嵌合部材１の該対凹溝１２１の形状は、前記物体９００の第１対の２つの対角９１の形状及び第２対の２つの対角９２の形状に同時に対応し、第２嵌合部材２の該対凹溝２２１の形状も、前記物体９００の第１対の２つの対角９１の形状及び第２対の２つの対角９２形状に同時に対応し、凹溝１２１，２２１及び対角９１，９２の間に良好な密合度をもたせ、相対して逆嵌合部１２，２２を対角９１，９２により安定して嵌合させることができる。
【００１７】
第１、第２嵌合部材１，２は、物体９００の同一面をそれぞれ第１対の２つの対角９１の間及び第２対の２つの対角９２の間に嵌合させることができるものであり（図示せず）、好ましくは、図１〜図４に示すように、第１嵌合部材１は、物体９００の１つの面を嵌合させ、且つ２つの逆嵌合部１２を第１対の２つの対角９２の間に嵌合させ、第２嵌合部材２は、物体９００のもう１つの面を嵌合させ、且つ２つの逆嵌合部２２を第２対の２つの対角９２の間に嵌合させ、第１、第２嵌合部材１，２は、物体９００を隔てて対角交差嵌合を相互に形成するものである。
【００１８】
本考案の梱包材構造が嵌合固定する物体９００により、物体９００の４つのコーナーを嵌合することができるだけでなく、更に対角交差嵌合の方式を採用し、嵌合状態を極めて安定させ、積載又は搬送過程において、脱落し難いという効果を有する。
【００１９】
当然ながら、図１〜図４を参考にし、本考案の上記第１実施例は、単一嵌合部材（例えば、第１嵌合部材１又は第２嵌合部材２）のみで少なくとも１対の対角９１又は９２を有する物体９００に実施することができ、これらの方法は、前記の対角交差嵌合の目的を達成することができないが、ただ単一嵌合部材で単一の対角の嵌合を行い、依然として、書籍（複数の本を相互に重ねたもの）、液晶テレビ、タブレットＰＣ、ノート型パソコン又は電気書籍リーダ等の製品、又は該製品を包装する包装箱を嵌合固定するに足り、積載又は搬送時に緩むことがなく、更に、衝突時に緩衝効果を発生することができる。
【００２０】
図５に示す本考案の梱包材の第２実施例を参照し、それは、一体交差型の梱包材構造に属し、２対の対角：第１対の２つの対角９１及び第２対の２つの対角９２を有する物体９００に応用し、本第２実施例は、第１実施例のうちの１つの嵌合部材（例えば、第１嵌合部材１又は第２嵌合部材２）の第１アーム体３１を第２アーム体３２と直接一体に接続してなり、詳細の説明は以下のとおりである。
【００２１】
本第２実施例において、梱包材構造は、以下を含む：嵌合部材３（図に示すのは、第１実施例中の嵌合部材１である）を含み、該嵌合部材３は、相互に一体に交差して接続する第１アーム体３１と、第２アーム体３２と、第１アーム体３１両端に形成される２つの逆嵌合部３１１と、第２アーム体３２両端に形成される２つの逆嵌合部３２１と、を含み、第１アーム体の２つの逆嵌合部３１１がそれぞれ凹溝３１２を有し、第２アーム体３２の２つの逆嵌合部３２１もそれぞれ凹溝３２２を有する。第１アーム体３１の１対の凹溝３１２の形状は、前記物体９００の第１対の２つの対角９１の形状及び第２対の２つの対角９２の形状に同時に対応し、何れも前記対角９１又は９２を収容することができ、第２アーム体３２の１対の凹溝３２２の形状も、物体９００の第１対の２つの対角９１の形状及び第２対の２つの対角９２の形状に同時に対応し、何れも前記対角９１又は９２を収容することに用いることができる。これにより、第１アーム体３１は、その２つの逆嵌合部３１１により物体９００の第１対の対角９１の間又は第２対の対角９２の間を嵌合し、第１対の対角９１又は第２対の対角９２を第１アーム体３１の該対凹溝３１２内に収容させることができる。また、嵌合部材３の第１、第２アーム体３１，３２は、同時に物体９００の一面を嵌合させる。
【００２２】
図６に示す本考案の梱包材構造の第３実施例を参照し、それは、前記第２実施例の変形であり、変化の差異は、第２実施例の一直線を呈する第２アーム体３２を非一直線の第２アーム体３３に変化させ、非一直線３３は、第１支持アーム３３１及び第２支持アーム３３２から構成され、第１、第２支持アーム３３１，３３２の他端は、それぞれ前記逆嵌合部３３１１，３３２１を形成し、逆嵌合部３３１１，３３２１は、それぞれ前記凹溝３３１２，３３２２を有する。これに基づき、第１アーム体３１は、２つの逆嵌合部３１１により前記物体９００の第１対の対角９１の間又は第２対の対角９２の間を嵌合し、第２アーム体３３は、その第１、第２アーム体３３１，３３２の２つの逆嵌合部３３１１，３３２１により物体９００の第２対の対角９２の間又は第１対の対角９１の間を嵌合し、且つ嵌合部材３の第１、第２アーム体３１，３３も同時に物体９００の一面を嵌合させる。
【００２３】
本考案の梱包材構造の前記第１実施例において、その第１、第２嵌合部材１，２は、何れも環境保護の発泡ポリエチレン（ＥＰＥ）材質で製造される発泡ポリエチレン部材であり、防水防潮、防震、良好な可塑性能、強い靱性、重複再製造、環境保護、抗衝撃力等の多くの利点を有する。本考案の梱包材構造の前記第２、第３実施例において、その嵌合部材３も、環境保護の発泡ポリエチレン（ＥＰＥ）材質で製造される発泡ポリエチレン部材であり、同一の多くの利点を有する。
【００２４】
上記のように、本考案は、従来技術に比較し、以下の効果を有する。
嵌合部材（１，２又は３）が何れも対角嵌合又は対角交差嵌合、且つ逆嵌合方式で物体９００の単一対の対角の間又は各対の対角の間に嵌合することができ、物体９００の単一対の対角の間又は各対の対角の間に何れも嵌合部材を弾性接続させ、嵌合部材に物体９００に対し、極めて良好な堅固性効果を持たせ、且つ容易に脱落しないようにさせる。また、各該嵌合部材は、何れも環境保護の発泡ポリエチレン（ＥＰＥ）から製造される発泡ポリエチレン部材であるので、製造過程において、人体に不利な有害ガスを発生することがなく、嵌合部材に長期に残留することもなく、更に、この嵌合部材の使用者の健康に悪影響を及ぼさず、環境に対し汚染を招くこともない。また、一体交差型嵌合部材３の第２実施例、又は第２実施例から変形してなる第３実施例は、何れも同様に第１実施例の効果を有する。
【００２５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２６】
１  第１嵌合部材
１１  第１アーム体
１２  逆嵌合部
１２１  凹溝
２  第２嵌合部材
２１  第２アーム体
２２逆嵌合部
２２１  凹溝
３  嵌合部材
３１  第１アーム体
３１１  逆嵌合部
３１２  凹溝
３２  第２アーム体
３２１  逆嵌合部
３２２  凹溝
３３  第２アーム体
３３１  第１支持アーム
３３１１  逆嵌合部
３３１２  凹溝
３３２  第２支持アーム
３３２１  逆嵌合部
３３２２  凹溝
９００  物体
９１  対角
９２  対角
【図１】
0003183932.tif 000003
【図２】
0003183932.tif 000004
【図３】
0003183932.tif 000005
【図４】
0003183932.tif 000006
【図５】
0003183932.tif 000007
【図６】
0003183932.tif 000008